(57)【要約】【課題】  本発明は，対合歯の動きを考慮した適切な形状を有する歯冠修復物を製造するための生態的機能コアを取得することを目的とする。【解決手段】    コンピュータを用いて，支台歯に歯冠修復物を製造するために用いられる機能コアを取得する方法であって，前記歯冠修復物を製造する対象となる者が咬合運動を行った際の前記対合歯の最外郭の形状が，複数，前記コンピュータに入力される工程と，前記コンピュータが，前記入力された複数の最外郭の形状を集積し，前記対合歯の最外郭の軌跡を求め，求めた最外郭の軌跡を用いて，機能コアを得る工程と，を含む，方法。【選択図】図１
2011000133.tif 000002
【特許請求の範囲】
【請求項１】
コンピュータを用いて，支台歯に歯冠修復物を製造するために用いられる機能コアを取得する方法であって，
前記歯冠修復物を製造する対象となる者が咬合運動を行った際の前記対合歯の最外郭の形状が，複数，前記コンピュータに入力される工程と，
前記コンピュータが，前記入力された複数の最外郭の形状を集積し，前記対合歯の最外郭の軌跡を求め，求めた最外郭の軌跡を用いて，機能コアを得る工程と，を含む，
方法。
【請求項２】
前記咬合運動は，下顎前方運動，下顎側方運動，及び下顎後方運動を含む，
請求項１に記載の方法。
【請求項３】
前記対合歯の軌跡は，
超音波探触子を含む超音波形状解析装置を用いて測定されたものである，
請求項１に記載の方法。
【請求項４】
前記対合歯の軌跡は，超音波形状解析装置を用いて測定されたものであり，
前記超音波形状解析装置は，第１の超音波探触子と，前記第１の超音波探触子と周波数が異なる第２の超音波探触子とを含む，
請求項１に記載の方法。
【請求項５】
コンピュータを用いて，ある支台歯に用いられる歯冠修復物を設計する方法であって，
前記方法は，
コンピュータに，前記支台歯及び前記支台歯の形状が入力される工程と，
前記歯冠修復物を製造する対象となる者が咬合運動を行った際の前記対合歯の最外郭の形状が，複数，前記コンピュータに入力される工程と，
前記コンピュータが，前記入力された複数の最外郭の形状を集積し，前記対合歯の最外郭の軌跡を求め，求めた最外郭の軌跡を用いて，機能コアを得る工程と
前記支台歯及び前記支台歯の形状と，前記機能コアとを用いて，前記支台歯に設けられる歯冠修復物の形状を求める工程と，
を含み，
前記歯冠修復物の形状は，前記歯冠修復物が前記支台歯に取り付けられた際に，前記機能コアと接触する，
方法。
【発明の詳細な説明】
【技術分野】
【０００１】
本発明は，歯冠修復物を製造する際に用いられる生態的機能コアを取得する方法に関する。より詳しく説明すると，本発明は，反対側の歯の現実の動きをも考慮した機能コアを取得する方法に関する。
【背景技術】
【０００２】
歯科において，歯冠修復物（ブリッジやクラウンなど）が用いられている。そして，上下の歯列を自然な噛み合わせ位置関係に固定された歯牙模型を作成し，歯列上の一部に形成された支台歯上に上下歯列の位置関係を阻害しないように歯冠修復物を設計する方法が知られている。この方法は，咬合運動をしたときの上下歯列の位置関係を考慮していない。このため，歯冠修復物を製造した後に，形状を調整しなければならなかった。
【０００３】
このため，チェックバイト又はＦＧＰとよばれる咬合運動を考慮した方法が提案された。この方法は，顎を動かしたときに患者の口腔内で直接ワックスを咬ませて運動を記録し，計測器で測定する。この方法は，このようにして，咬合運動をした際の上下歯列の位置関係を考慮する。しかし，この方法はワックスを咬ませる際にずれが生ずるなどの問題がある。
【０００４】
また，特開平９−２５３１００号公報には，患者の上下顎歯列の石膏模型を作成し，その上で咀嚼運動を考慮した歯冠修復物の製造方法が開示されている。この方法では，歯科咬合器を用いて，咀嚼運動を再現し，正確な歯冠修復物を製造することが開示されている。また，模型による咬合運動は，仮想的な基準点を基準とし，基準点間を掃引して求めた直線的なものであり，実際の咬合運動を適切に反映することはできない。このため，患者に本当に適した歯冠修復物を製造することはできない。
【０００５】
一方，特開２００６−３２０３６９号公報には，超音波を用いて，歯の形状を求め，求めた形状に基づいて，歯冠修復物を製造する方法が開示されている。しかしながら，この文献に開示された歯冠修復物の製造方法は，咬合運動に基づいて，歯が複雑に動くことを考慮して，歯冠修復物を製造するものではない。このため，この公報に記載の方法に従って歯冠修復物を製造した場合，歯冠修復物を装着すると違和感が生ずる。
【０００６】
近年，セラミックスでできた審美性の高い歯冠修復物が知られている。とくにジルコニアやイットリウムを添加した歯冠修復物は，天然歯より３〜５倍程度硬い。このため，最適ではない歯冠修復物を用いた患者は，歯冠修復物が対合歯を削るという問題や，顎関節症を惹起するという問題もある。このため，患者の咬合運動を完璧に捉えた歯冠修復物の製造方法が望まれた。
【０００７】
さらに，上記のように支台歯と対合歯との位置関係のみを考慮して歯冠修復物を製造した場合，実際の咬合運動を再現することはできない。この結果，支台歯と対合歯との位置関係のみを考慮して歯冠修復物を製造した場合，歯冠修復物を装着すると違和感が生ずるほか，反対側の歯（反対の側面に存在する歯）とその対合歯に悪影響を及ぼすことがある。
【先行技術文献】
【特許文献】
【０００８】
【特許文献１】特開平９−２５３１００号公報
【特許文献２】特開２００６−３２０３６９号公報
【発明の概要】
【発明が解決しようとする課題】
【０００９】
そこで，本発明は，対合歯の動きを考慮した適切な形状を有する歯冠修復物を製造するための生態的機能コアを取得することを目的とする。また，本発明は求めた生態的機能コアを用いて，歯冠修復物を設計する方法を提供することを目的とする。
【課題を解決するための手段】
【００１０】
本発明は，対合歯の形状情報のみならず，対合歯の実際の動きに関する情報を得ることで，適切な歯冠修復物を得ることができるという知見に基づく。さらに本発明は，超音波を用いて，歯列を連続的に測定することで，咬合運動における対合歯の軌跡を正確に把握することができるという知見に基づく。
【００１１】
さらに本発明は，超音波を用いて対合歯の動きを観測する際に,モアレ現象を利用することで，生態的機能コアの印象を精度よく取得できるという知見に基づく。
【００１２】
本発明の第１の側面は，コンピュータを用いて，支台歯に歯冠修復物を製造するために用いられる生態的機能コアを取得する方法に関する。この方法は，歯冠修復物を製造する対象となる者が咬合運動を行った際の対合歯の最外郭の形状が，複数，コンピュータに入力される。そして，コンピュータが，入力された複数の最外郭の形状を集積し，対合歯の最外郭の軌跡を求め，求めた最外郭の軌跡を用いて，生態的機能コアを得る。このように，対合歯の軌跡を集積させて生態的機能コアを求めるので，この方法は，適切な機能コアを求めることができる。ここで，最外郭の形状は，下顎前方運動，下顎側方運動，及び下顎後方運動をした際の最外郭の形状を含み，好ましくは下顎の最大可動範囲を反映したものである。
【００１３】
本発明の第１の側面の好ましい態様は，咬合運動が，下顎前方運動，下顎側方運動，及び下顎後方運動を含むものである。このように，あらゆる対合歯動きを考慮することで，この方法は，適切な機能コアを求めることができる。
【００１４】
本発明の第１の側面の好ましい態様は，対合歯の軌跡が，超音波探触子を含む超音波形状解析装置を用いて測定されたものである。超音波形状解析装置を用いて対合歯の軌跡を求めることで，この方法は，概観だけではなく表面から見えない対合歯の裏側の軌跡や，反対側の軌跡をも適切に把握できることとなる。
【００１５】
本発明の第１の側面の好ましい上記とは別の態様は，対合歯の軌跡は，超音波形状解析装置を用いて測定されたものであり，超音波形状解析装置は，第１の超音波探触子と，第１の超音波探触子と周波数が異なる第２の超音波探触子とを含むものである。１つの超音波探触子を用いて対合歯の形状を求めた場合，その精度は一般に数マイクロメートルオーダー以下である。しかし，最適な歯冠修復物を得るためにはマイクロメートルオーダーの精度が望ましい。このように，２つの超音波探触子を用いることで，この方法は，モアレ現象を利用して，測定精度を向上させることができる。
【００１６】
本発明の第２の側面は，コンピュータを用いて，ある支台歯に用いられる歯冠修復物を設計する方法に関する。この方法は，コンピュータに，支台歯及び支台歯の形状に関する情報が入力される。また，歯冠修復物を製造する対象となる者が咬合運動を行った際の対合歯の最外郭の形状が，複数，コンピュータに入力される。そして，コンピュータが，入力された複数の最外郭の形状を集積し，対合歯の最外郭の軌跡を求め，求めた最外郭の軌跡を用いて，生態的機能コアを得る。その後，コンピュータが，支台歯及び支台歯の形状と，生態的機能コアとを用いて，支台歯に設けられる歯冠修復物の形状を求める。そして，歯冠修復物の形状は，歯冠修復物が支台歯に取り付けられた際に，機能コアと接触するものである。この第２の側面は，先に説明した第１の側面のあらゆる態様を含むことができる。
【発明の効果】
【００１７】
本発明によれば，咬合運動の際の対合歯の軌跡を複数考慮し，生態的機能コアを取得するので，対合歯の動きを考慮した適切な形状を有する歯冠修復物を製造するための機能コアを取得できる。また，この生態的機能コアは，支台歯とその対合歯のみならず，反対側の咬合運動をも反映したものである。よって，本発明の生態的機能コアを用いることで，患者に完璧にフィットした歯冠修復物を製造することができる。
【図面の簡単な説明】
【００１８】
【図１】図１は，歯冠修復物が設けられる支台歯と，機能コアの例を示す図である。
【図２】図２は，支台歯および対合歯を含む領域を説明するための図である。
【図３】図３Ａは，ある咬合運動に伴って，連続的に記憶された歯列の３次元情報を説明するための図である。図３Ｂは，ある咬合運動に伴う対合歯の最外郭の軌跡を示す。
【図４】図４Ａは，図３Ａとは異なる咬合運動に伴って，連続的に記憶された歯列の３次元情報を説明するための図である。図４Ｂは，この咬合運動に伴う対合歯の最外郭の軌跡を示す。
【図５】図５は，得られた対合歯の最外郭の軌跡を重ね合わせた様子を示す図である。
【図６】図６は，歯冠修復物の設計例を示す図である。
【図７】図７は，歯と方向を説明するための概念図である。図７Ａは，中心咬合位にあるときの対合歯を示す斜視図であり，図７Ｂは，中心咬合位にあるときの対合歯を図７Ａとは別の角度から見た場合の図である。
【図８】図８は，咬合位と咬合運動の動きを示す概念図である。
【図９】図９は，図７に示す歯が咬合運動してできる軌跡と，機能コアを説明するための図である。図９Ａは，図７Ａの歯が咬合運動した際の歯の動きを示す図である。図９Ｂは，Ｘ軸方向から見た，歯の軌跡と機能コアの様子を示す図である。図９Ｃは，Ｘ軸方向から見た機能コアの様子を示す図である。図９Ｄは，図７Ｂの歯が咬合運動した際の歯の動きを示す図である。図９Ｅは，Ｙ軸方向から見た，歯の軌跡と機能コアの様子を示す図である。図９Ｆは，Ｙ軸方向から見た機能コアの様子を示す図である。
【発明を実施するための形態】
【００１９】
以下，実施例に基づいて，本発明の実施態様を説明する。本発明は以下の実施例に限定されるものではなく，以下説明する実施例から，当業者が自明な範囲で適宜修正することができ，そのようなものも本発明に含まれる。
【実施例１】
【００２０】
本発明の第１の側面は，コンピュータを用いて，支台歯に歯冠修復物を製造するために用いられる生態的機能コアを取得する方法に関する。歯冠修復物を製造する対象となる者が咬合運動を行った際の対合歯の最外郭の形状が，複数，コンピュータに入力される。そして，コンピュータが，入力された複数の最外郭の形状を集積し，対合歯の最外郭の軌跡を求め，求めた最外郭の軌跡を用いて，生態的機能コアを得る。ここで，対合歯とは，歯冠修復物が設けられる支台歯に対向する歯（１又は複数）である。歯冠修復物の例，歯の一部を修復するために歯に詰めるインレー，歯に被せるクラウン，数歯欠損の咬合を回復するための繋がった被せ物であるブリッジ，及び局部床義歯である。
【００２１】
コンピュータは，制御部，記憶部，演算部，及び入出力部を含む。そして，各要素はバスなどを介して情報を授受することができるようにされている。そして，入力部から所定の情報が入力された場合，制御部が，記憶部に記憶されるメインメモリから制御プログラムを読み出す。そして，制御部は，制御プログラムにしたがって，各種動作を行う。たとえば，制御部は，記憶部から所定の情報を読み出して，演算部において演算処理を行う。そして，制御部は，得られた演算処理の結果を，記憶部において記憶するように指示する。
【００２２】
図１は，歯冠修復物が設けられる支台歯と，機能コアの例を示す図である。機能コア１とは，さまざまな咬合運動を行った際に，対合歯の外郭部分が移動しうる領域を意味する（たとえば，前歯部ポーセレンジャケットクラウンに機能コアを応用した症例(第２８回九州歯科学会総会ならびに学術講演会)１８１頁及び１８２頁を参照）。従来の仮想的な機能コアは，顎模型を作成して，咬合運動をさせ，いくつかの位置情報を集約することで求められていた。このため，機能コア自体が適切なものではなかった。本発明では，咬合運動を行った際の対合歯の最外郭の軌跡を複数集積するため，適切な機構コアを得ることができる。すなわち，本発明の機能コアは，従来の模型を用いて得られる仮想的なものではない。本発明の機能コアは，患者の実際の咬合運動を観測し，患者の生態観察に基づいて得られたものである。このため，本明細書においては，従来の仮想的な機能コアと本発明の機能コアとを区別するため，後者を生態的機能コアともよぶ。
【００２３】
対合歯の形状や軌跡は，超音波探触子を含む超音波形状解析装置を用いて測定することができる。歯は，エナメル質，象牙質及び歯髄を含む。歯に超音波形状解析装置からの超音波を照射し，歯から反射した超音波を測定する。すると，反射した部分の材質により反射した超音波の強度が異なる。この性質を利用すれば，超音波形状解析装置を用いて歯の外郭を求めることができる。なお，この際に，歯の外郭のみならず，歯の内部の構造（象牙質部分や歯髄部分）をも求めることができる。さらに，超音波形状解析装置を用いて歯を測定した場合，支台歯及び対合歯のみならず，反対の側面に存在する歯やその対合歯をもあわせて測定できる。このように，超音波形状解析装置を用いることで，反対の側面に存在する歯の動きをも適切に把握することができる。
【００２４】
本発明は，たとえば，下顎前方運動，下顎側方運動，及び下顎後方運動した際の，支台歯および対合歯を含む領域を，超音波形状解析装置を用いて連続的に測定する。
【００２５】
超音波形状解析装置が撮影した，支台歯および対合歯を含む領域についての，超音波の反射波のデータが，コンピュータに入力される。この反射波のデータは，対合歯の最外郭の形状に関するデータである。すると，コンピュータは，受け取った反射波の受信時間と受信強度とを一時的に記憶する。超音波形状解析装置は，測定領域を掃引する。コンピュータは，掃引された領域における反射波の受信時間と受信強度とを一時的に記憶する。この集められた情報を用いることで，コンピュータは，あるタイミングにおける支台歯および対合歯を含む領域の３次元情報を求めることができる。そして，コンピュータは，求めた３次元情報を一時的に記憶する。一方，支台歯の３次元形状に関する情報もコンピュータに記憶される。
【００２６】
図２は，支台歯および対合歯を含む領域を説明するための図である。図２では，簡単のため，この領域を２次元的に表現している。実際は，コンピュータは，この領域を３次元的に把握する。図２において，符号１２ａ〜１２ｃは，対合歯を示す。符号１３ａ，１３ｂは支台歯に隣接する歯を示す。
【００２７】
超音波形状解析装置とコンピュータは，上記の測定と解析を連続的に行う。すると，コンピュータは，ある咬合運動に伴う支台歯および対合歯を含む歯列の３次元情報を連続的に求めることとなる。そして，コンピュータには，この連続的な３次元情報が記憶されることとなる。
【００２８】
そして，コンピュータは，支台歯の３次元形状に関する情報を読み出す。その上で，コンピュータは，支台歯の３次元形状を用いて，支台歯および対合歯を含む歯列の３次元情報から，支台歯部分を抽出する。その上で，コンピュータは，抽出した支台歯部分を基準とした，対合歯の３次元情報を求める。コンピュータは，このようにして対合歯の３次元情報を連続的に求め，記憶する。コンピュータは，記憶した対合歯の３次元情報を用いて，対合歯の最外郭を求める。コンピュータは，支台歯部分を基準とした対合歯の最外郭の形状を連続的に積算する。具体的に説明すると，コンピュータは，あるときまでに集積された対合歯の最外郭を記憶している。そして，次の対合歯の最外郭の形状が入力された場合，あるときまでに集積された対合歯の最外郭を読み出す。そして，その新たに入力された最外郭の形状の各部分につき，集積された対合歯の最外郭に含まれるか否か判断する。そして，新たに入力された最外郭の形状のある部分が，これまで集積された対合歯の最外郭に含まれない場合，その部分を集積された対合歯の最外郭に含め，新たな集積された対合歯の最外郭として記憶する。このようにして，コンピュータにより，ある咬合運動に伴う対合歯の最外郭の軌跡を求めることができる。
【００２９】
図３Ａは，ある咬合運動に伴って，連続的に記憶された歯列の３次元情報を説明するための図である。図中符号１４は，変位した対合歯を示す。図３Ｂは，ある咬合運動に伴う対合歯の最外郭の軌跡を示す。図中符号１５は，ある咬合運動に伴う対合歯の最外郭の軌跡を示す。
【００３０】
本発明の第１の側面の好ましい態様は，咬合運動が，下顎前方運動，下顎側方運動，及び下顎後方運動を含むものである。このように，あらゆる対合歯の動きを考慮することで，適切な生態的機能コアを求めることができる。すなわち，下顎前方運動の際に，超音波形状解析装置を用いて，支台歯および対合歯を含む領域を連続的に測定する。すると，上記したプロセスに基づいて，下顎前方運動の際の対合歯の最外郭の軌跡を求めることができる。同様にして，下顎側方運動，及び下顎後方運動の際の対合歯の最外郭の軌跡を求めることができる。これら複数の軌跡を集積することで，さまざまな咬合運動の際に，対合歯が動きうる軌跡を適切に求めることができる。コンピュータは，求めた対合歯の最外郭の軌跡を用いて，生態的機能コアを求める。生態的機能コアの求め方は，上記の対合歯の最外郭の軌跡を求める方法と同様である。
【００３１】
図４Ａは，図３Ａとは異なる咬合運動に伴って，連続的に記憶された歯列の３次元情報を説明するための図である。図中符号１６は，変位した対合歯を示す。図４Ｂは，この咬合運動に伴う対合歯の最外郭の軌跡を示す。図中符号１７は，この咬合運動に伴う対合歯の最外郭の軌跡を示す。
【００３２】
図５は，得られた対合歯の最外郭の軌跡を重ね合わせた様子を示す図である。これらの最外郭部分の軌跡１５，１７を集積することで，図１に示す機構コア１を得ることができる。
【００３３】
本発明の好ましい態様では，コンピュータが，歯冠修復物の形状パターンを記憶している。そして，上記のとおり求めた機構コア１と，支台歯１１との間に存在する空間を求める。その上で，求めた空間の情報を用いて，歯冠修復物の形状パターンを読み出す。このようにして，このコンピュータは，支台歯に取り付けられた際に，生態的機能コアと接触する歯冠修復物の形状を求めることができる。
【００３４】
従来の歯冠修復物は，歯冠修復物を支台歯に取り付けられた際に，完全にフィットしないため違和感が生じた。しかしながら，本発明においては，現実の咬合運動を反映した生態的機能コアを求めて，その求めた生態的機能コアを用いて歯冠修復物の形状を求める。このため，完璧にフィットし，装着したときに違和感のない歯冠修復物を設計することができる。
【００３５】
図６は，歯冠修復物の設計例を示す図である。図６に示されるように，支台歯１１上に歯冠修復物２０が設計される。この歯冠修復物２０は，機構コア１と支台歯１１との間にフィットするように設けられる。このため，この歯冠修復物２０は，台歯に取り付けられた際に，生態的機能コアと接触する。すなわち，歯冠修復物２０の形状データに基づいて実際に歯冠修復物を製造した場合，得られる歯冠修復物は，対合歯と接触する適切な形状を有することとなる。
【００３６】
本発明の第１の側面の好ましい上記とは別の態様は，対合歯の軌跡は，超音波形状解析装置を用いて測定されたものであり，超音波形状解析装置は，第１の超音波探触子と，第１の超音波探触子と周波数が異なる第２の超音波探触子とを含むものである。１つの超音波探触子を用いて対合歯の形状を求めた場合，その精度は一般に数マイクロメートルオーダー以下である。しかし，最適な歯冠修復物を得るためにはマイクロメートルオーダーの精度が望ましい。このように，２つの超音波探触子を用いることで，モアレ現象を利用して，測定精度を向上させることができる。
【００３７】
超音波によるモアレ現象を用いた形状解析方法は，例えば特開２００６−０２９９９１号公報に開示されている。この態様では，２種類以上の超音波探触子を用いて，干渉を引き起こすことでより精度よく，モアレ現象を観測できる。
【００３８】
本発明において，超音波形状解析装置は，複数の探触子を有するものが好ましい。たとえば，探触子を上顎の歯列と下顎の歯列に３以上装着することが好ましい。探触子を３つ装着する場合，各顎に装着する３つの探触子の装着範囲は，前歯と左右の臼歯（（１）右側の犬歯から左側の犬歯までの間，（２）右側の第１小臼歯から第３大臼歯までの間，（３）左側の第1小臼歯から第３大臼歯までの間）があげられる。探触子は，歯列の頬面，歯列表面頬側の歯肉に装着すればよく，さらに義歯の人工歯や人工歯肉部に装着してもよい。さらに，上記位置範囲になるように，口腔外に探触子を装着してもよい。探触子を複数使用する場合，それぞれの探触子から発信される超音波の周波数は，異なっていることが好ましい。なお，本発明において，探触子は複数の振動子を有するアレイ探触子又はマトリックスアレイ探触子であることが好ましい。探触子が有する複数の振動子は，振動子ごとに波長を変更することができる。そして，複数の振動子を有する探触子は，超音波を発信する角度及びタイミングを振動子ごとに調整することができる。よって，本発明において，アレイ振動子又はマトリックスアレイ探触子は，探触子を移動させることなく，歯又は歯列の形状等のデータを取得することができるので好ましい。アレイ振動子又はマトリックスアレイ振動子は公知であるので，当業者であれば，適宜選択して用いることができる。
【００３９】
探触子を上顎と下顎に３つずつ装着した場合，咬合運動時中，当該探触子から情報を取得する歯に向かって超音波を発信し，その後反射してきた反射波をそれぞれの探触子で受信する。対合歯からの反射波は，探触子から対合歯までの距離によっても変化する。本発明では，反射波の強度や，反射波が受信されるまでに要した時間のデータを用いることで，対合歯の位置情報を得ることができる。咬合運動時中，対合歯と，対合歯と反対の顎にある探触子の距離は変化する。対合歯と探触子の距離が大きくなると，反射波を受信するまでに要する時間は長くなる。よって，例えば，中心咬合位にある時，支台歯からの反射波を受信するまでの時間を基準にして，咬合運動時の歯の位置情報を取得することができる。
【００４０】
図７は，歯と方向を説明するための概念図である。図７Ａは，中心咬合位にあるときの対合歯を示す斜視図であり，図７Ｂは，中心咬合位にあるときの対合歯を図７Ａとは別の角度から見た場合の図である。図７では，歯の側方運動方向をＸ軸，前方運動及び後方運動方向をＹ軸，開閉運動方向をＺ軸とする。なお，図７は，右側の歯を想定している。そして,Ｘ軸の正の方向は,舌側方向を示し，Ｘ軸の負の方向は頬側を示す。Ｚ軸の正の方向は，上顎側を示し，Ｚ軸の負の方向は下顎側を示す。上顎歯列と下顎歯列とが中心咬合位にあるときの対合歯上の任意の点（咬合面の裂溝など）をＺ＝０とする。これにより，咬合運動時中，歯の位置情報を三次元データ（Ｘ値，Ｙ値，Ｚ値）で表すことができる。
【００４１】
図８は，咬合位と咬合運動の動きを示す概念図である。図８中，点ｉは中心咬合位を示し，点ｉｉは最前方咬合位を示し，点ｉｉｉは最後方咬合位を示し，点ｉｖは右最側方咬合位を示し，点ｖは左最側方咬合位を示す。図８に基づいて，歯の咬合運動の際の歯の動きを説明する。側方咬合運動における歯の運動路は，左最側方咬合位（ｖ）から中心咬合位（ｉ），中心咬合位（ｉ）から右最側方咬合位（ｉｖ）までの経路である。前方咬合運動における歯の運動路は，中心咬合位（ｉ）から最前方咬合位（ｉｉ）までの経路である。後方咬合運動における歯の運動路は，中心咬合位（ｉ）から最後方咬合位（ｉｉｉ）までの経路である。上記に加えて，実際の咬合運動では，最前方咬合位（ｉｉ）から右最側方咬合位（ｉｖ）まで，最前方咬合位（ｉｉ）から左最側方咬合位（ｖ）まで，最後方咬合位（ｉｉｉ）から右最側方咬合位（ｉｖ）まで，最後方咬合位（ｉｉｉ）から左最側方咬合位（ｖ）までの経路などさまざまな経路が存在する。咬合運動時中，歯は，上記経路を線で結んだ範囲で滑走しながら移動する。この動きは先に説明したとおり，直線的ではない。よって，模型を用いても歯の正確な運動を再現することはできない。
【００４２】
図９は，図７に示す歯が咬合運動してできる軌跡と，機能コアを説明するための図である。図９Ａは，図７Ａの歯が咬合運動した際の歯の動きを示す図である。図９Ｂは，Ｘ軸方向から見た，歯の軌跡と機能コアの様子を示す図である。図９Ｃは，Ｘ軸方向から見た機能コアの様子を示す図である。図９Ｄは，図７Ｂの歯が咬合運動した際の歯の動きを示す図である。図９Ｅは，Ｙ軸方向から見た，歯の軌跡と機能コアの様子を示す図である。図９Ｆは，Ｙ軸方向から見た機能コアの様子を示す図である。図９に示されるように，様々な咬合運動時の対合歯の外郭をつないでいくことで対合歯の軌跡を把握でき，これにより機能コアを取得することができる。なお，対合歯上の任意の点は，図８に示すような運動路にそった複雑な動きをするので，位置情報に基づく対合歯軌跡情報を集積することで，対合歯の運動路を考慮した実態的機能コアを取得することができる。
【００４３】
なお，本発明のコンピュータが切削装置と接続され，得られた歯冠修復物に関するデータを用いて，歯冠修復物を製造できるようにされることが好ましい。歯冠修復物は，例えば，金，銀，ステンレス鋼，コバルトクロム，ニッケルクロムやチタン等の金属材料のほかに，レジン，陶材，セラミックス，又はセラミックスにジルコニアやイットリウムを添加したもの用いて製造できる。本発明の生態的機能コアは，対合歯の機能的運動路を考慮して設計されている。よって，本発明の生態的機能コアに基づいて製造された歯冠修復物は，対象部位に適合し，正しいチューイングサイクルを損なわない。よって，本発明によれば，歯冠修復物を対象部位に装着する前に歯冠修復物を調整する必要がなく，きわめて利便性が高まる。
【産業上の利用可能性】
【００４４】
本発明は，歯科用機器産業の分野で利用されうる。
【符号の説明】
【００４５】
１  生態的機能コア
１１  支台歯
【図１】
2011000133.tif 000003
【図２】
2011000133.tif 000004
【図３】
2011000133.tif 000005
【図４】
2011000133.tif 000006
【図５】
2011000133.tif 000007
【図６】
2011000133.tif 000008
【図７】
2011000133.tif 000009
【図８】
2011000133.tif 000010
【図９】
2011000133.tif 000011